(57)【要約】  本開示の一態様に係るユーザ端末は、ビーム障害検出のための参照信号（ＢＦＤ−ＲＳ：Beam  Failure  Detection  Reference  Signal）を受信する受信部と、設定されたＢＦＤ−ＲＳのうちの一部のＢＦＤ−ＲＳのリソース設定の無線リンク品質が所定の閾値より悪い場合、下位レイヤから上位レイヤにビーム障害に関するインスタンスを指示する制御部と、を有することを特徴とする。本開示の一態様によれば、高速にビーム回復手順を実施できる。
2020012594.tif 000002
【特許請求の範囲】
【請求項１】
ビーム障害検出のための参照信号（ＢＦＤ−ＲＳ：Beam  Failure  Detection  Reference  Signal）を受信する受信部と、
設定されたＢＦＤ−ＲＳのうちの一部のＢＦＤ−ＲＳのリソース設定の無線リンク品質が所定の閾値より悪い場合、下位レイヤから上位レイヤにビーム障害に関するインスタンスを指示する制御部と、を有することを特徴とするユーザ端末。
【請求項２】
前記制御部は、前記上位レイヤが前記インスタンスを一定回数以上受信した場合に、物理上りリンク制御チャネル又は物理上りリンク共有チャネルを用いたビーム回復要求の送信をトリガすることを特徴とする請求項１に記載のユーザ端末。
【請求項３】
前記制御部は、前記ビーム回復要求の送信を、生きている上りリンク、ビーム、送信構成指示状態、空間関係の少なくとも１つに基づいて行うように制御することを特徴とする請求項２に記載のユーザ端末。
【請求項４】
前記制御部は、前記ビーム回復要求の送信後、送信構成指示状態の再設定の情報及びアクティベーション信号の少なくとも一方を受信するまでは、以前の送信構成指示状態の設定に従って物理下りリンク制御チャネルをモニタするように制御することを特徴とする請求項２又は請求項３に記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０−１４）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（ＬＴＥ  Ｒｅｌ．８−１４）では、無線リンク品質のモニタリング（無線リンクモニタリング（ＲＬＭ：Radio  Link  Monitoring））が行われる。ＲＬＭより無線リンク障害（ＲＬＦ：Radio  Link  Failure）が検出されると、ＲＲＣ（Radio  Resource  Control）コネクションの再確立（re-establishment）がユーザ端末（ＵＥ：User  Equipment）に要求される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、ビーム障害を検出して他のビームに切り替える手順（ビーム障害回復（ＢＦＲ：Beam  Failure  Recovery）手順、ＢＦＲなどと呼ばれてもよい）を実施することが検討されている。【０００７】
Ｒｅｌ−１５  ＮＲにおいて、ＢＦＲは、ビーム障害検出のための参照信号の全ての品質が所定の閾値未満になった場合にトリガされる。全てのビームに障害がある場合には、ＵＥが利用できるＵＬビーム（ＵＬリンク）もないと想定されるため、これまで検討されているＢＦＲではランダムアクセスチャネル（ＰＲＡＣＨ：Physical  Random  Access  Channel）を用いてＢＦＲＱが送信される。【０００８】
しかしながら、ＰＲＡＣＨベースのＢＦＲのためには、予めＰＲＡＣＨリソースを確保する必要がある。したがって、ビームの数が多い場合、リソースが無駄に浪費されるという課題がある。また、ＰＲＡＣＨベースのＢＦＲは、ランダムアクセス手順に従うため、ビーム回復までに遅延が生じるという課題もある。この結果、通信スループットが低下するおそれがある。【０００９】
そこで、本開示は、高速にビーム回復手順を実施できるユーザ端末を提供することを目的の１つとする。
【課題を解決するための手段】
【００１０】
本開示の一態様に係るユーザ端末は、ビーム障害検出のための参照信号（ＢＦＤ−ＲＳ：Beam  Failure  Detection  Reference  Signal）を受信する受信部と、設定されたＢＦＤ−ＲＳのうちの一部のＢＦＤ−ＲＳのリソース設定の無線リンク品質が所定の閾値より悪い場合、下位レイヤから上位レイヤにビーム障害に関するインスタンスを指示する制御部と、を有することを特徴とする。
【発明の効果】
【００１１】
本開示の一態様によれば、高速にビーム回復手順を実施できる。
【図面の簡単な説明】
【００１２】
【図１】図１は、Ｒｅｌ−１５  ＮＲにおけるビーム回復手順の一例を示す図である。
【図２】図２は、ＰＢＦ検出の一例を示す図である。
【図３】図３Ａ及び３Ｂは、ＰＢＦ検出後のＰＢＦＲＱの送信の一例を示す図である。
【図４】図４Ａ及び４Ｂは、ＰＢＦＲＱ  ＭＡＣ  ＣＥの構成の一例を示す図である。
【図５】図５Ａ及び５Ｂは、ＰＢＦＲＱ送信後のＴＣＩ再設定／アクティベーションの一例を示す図である。
【図６】図６は、一実施形態に係る無線通信システムの概略構成の一例を示す図である。
【図７】図７は、一実施形態に係る基地局の全体構成の一例を示す図である。
【図８】図８は、一実施形態に係る基地局の機能構成の一例を示す図である。
【図９】図９は、一実施形態に係るユーザ端末の全体構成の一例を示す図である。
【図１０】図１０は、一実施形態に係るユーザ端末の機能構成の一例を示す図である。
【図１１】図１１は、一実施形態に係る基地局及びユーザ端末のハードウェア構成の一例を示す図である。
【発明を実施するための形態】
【００１３】
ＮＲでは、ビームフォーミングを利用して通信を行うことが検討されている。例えば、ＵＥ及び基地局（例えば、ｇＮＢ（gNodeB））は、信号の送信に用いられるビーム（送信ビーム、Ｔｘビームなどともいう）、信号の受信に用いられるビーム（受信ビーム、Ｒｘビームなどともいう）を用いてもよい。
【００１４】
ビームフォーミングを用いる場合、障害物による妨害の影響を受けやすくなるため、無線リンク品質が悪化することが想定される。無線リンク品質の悪化によって、無線リンク障害（ＲＬＦ：Radio  Link  Failure）が頻繁に発生するおそれがある。ＲＬＦが発生するとセルの再接続が必要となるため、頻繁なＲＬＦの発生は、システムスループットの劣化を招く。
【００１５】
ＮＲにおいては、ＲＬＦの発生を抑制するために、特定のビームの品質が悪化する場合、他のビームへの切り替え（ビーム回復（ＢＲ：Beam  Recovery）、ビーム障害回復（ＢＦＲ：Beam  Failure  Recovery）、Ｌ１／Ｌ２（Layer  1/Layer  2）ビームリカバリなどと呼ばれてもよい）手順を実施することが検討されている。なお、ＢＦＲ手順は単にＢＦＲと呼ばれてもよい。
【００１６】
なお、本開示におけるビーム障害（beam  failure）は、リンク障害（link  failure）と呼ばれてもよい。
【００１７】
図１は、Ｒｅｌ−１５  ＮＲにおけるビーム回復手順の一例を示す図である。ビームの数などは一例であって、これに限られない。図１の初期状態（ステップＳ１０１）において、ＵＥは、２つのビームを用いて送信される参照信号（ＲＳ（Reference  Signal））リソースに基づく測定を実施する。
【００１８】
当該ＲＳは、同期信号ブロック（ＳＳＢ：Synchronization  Signal  Block）及びチャネル状態測定用ＲＳ（ＣＳＩ−ＲＳ：Channel  State  Information  RS）の少なくとも１つであってもよい。なお、ＳＳＢは、ＳＳ／ＰＢＣＨ（Physical  Broadcast  Channel）ブロックなどと呼ばれてもよい。
【００１９】
ＲＳは、プライマリ同期信号（ＰＳＳ：Primary  SS）、セカンダリ同期信号（ＳＳＳ：Secondary  SS）、モビリティ参照信号（ＭＲＳ：Mobility  RS）、ＳＳＢに含まれる信号、ＳＳＢ、ＣＳＩ−ＲＳ、復調用参照信号（ＤＭＲＳ：DeModulation  Reference  Signal）、ビーム固有信号などの少なくとも１つ、又はこれらを拡張、変更などして構成される信号であってもよい。ステップＳ１０１において測定されるＲＳは、ビーム障害検出のためのＲＳ（ＢＦＤ−ＲＳ：Beam  Failure  Detection  RS）などと呼ばれてもよい。
【００２０】
ステップＳ１０２において、基地局からの電波が妨害されたことによって、ＵＥはＢＦＤ−ＲＳを検出できない（又はＲＳの受信品質が劣化する）。このような妨害は、例えばＵＥ及び基地局間の障害物、フェージング、干渉などの影響によって発生し得る。
【００２１】
ＵＥは、所定の条件が満たされると、ビーム障害を検出する。ＵＥは、例えば、設定されたＢＦＤ−ＲＳ（ＢＦＤ−ＲＳリソース設定）の全てについて、ＢＬＥＲ（Block  Error  Rate）が閾値未満である場合、ビーム障害の発生を検出してもよい。ビーム障害の発生が検出されると、ＵＥの下位レイヤ（物理（ＰＨＹ）レイヤ）は、上位レイヤ（ＭＡＣレイヤ）に対してビーム障害インスタンスを通知（指示）してもよい。
【００２２】
なお、判断の基準（クライテリア）は、ＢＬＥＲに限られず、物理レイヤにおける参照信号受信電力（Ｌ１−ＲＳＲＰ：Layer  1  Reference  Signal  Received  Power）であってもよい。また、ＲＳ測定の代わりに又はＲＳ測定に加えて、下り制御チャネル（ＰＤＣＣＨ：Physical  Downlink  Control  Channel）などに基づいてビーム障害検出が実施されてもよい。ＢＦＤ−ＲＳは、ＵＥによってモニタされるＰＤＣＣＨのＤＭＲＳと擬似コロケーション（ＱＣＬ：Quasi-Co-Location）であると期待されてもよい。
【００２３】
ここで、ＱＣＬとは、チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００２４】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００２５】
ＢＦＤ−ＲＳに関する情報（例えば、ＲＳのインデックス、リソース、数、ポート数、プリコーディングなど）、ビーム障害検出（ＢＦＤ）に関する情報（例えば、上述の閾値）などは、上位レイヤシグナリングなどを用いてＵＥに設定（通知）されてもよい。ＢＦＤ−ＲＳに関する情報は、ＢＦＲ用リソースに関する情報などと呼ばれてもよい。
【００２６】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２８】
ＵＥのＭＡＣレイヤは、ＵＥのＰＨＹレイヤからビーム障害インスタンス通知を受信した場合に、所定のタイマ（ビーム障害検出タイマと呼ばれてもよい）を開始してもよい。ＵＥのＭＡＣレイヤは、当該タイマが満了するまでにビーム障害インスタンス通知を一定回数（例えば、ＲＲＣで設定されるbeamFailureInstanceMaxCount）以上受信したら、ＢＦＲをトリガ（例えば、後述のランダムアクセス手順のいずれかを開始）してもよい。
【００２９】
基地局は、ＵＥからの通知がない場合、又はＵＥから所定の信号（ステップＳ１０４におけるビーム回復要求）を受信した場合に、当該ＵＥがビーム障害を検出したと判断してもよい。
【００３０】
ステップＳ１０３において、ＵＥはビーム回復のため、新たに通信に用いるための新候補ビーム（new  candidate  beam）のサーチを開始する。ＵＥは、所定のＲＳを測定することによって、当該ＲＳに対応する新候補ビームを選択してもよい。ステップＳ１０３において測定されるＲＳは、新候補ビーム識別のためのＲＳ（ＮＣＢＩ−ＲＳ：New  Candidate  Beam  Identification  RS）、ＣＢＩ−ＲＳ、ＣＢ−ＲＳ（Candidate  Beam  RS）などと呼ばれてもよい。ＮＣＢＩ−ＲＳは、ＢＦＤ−ＲＳと同じであってもよいし、異なってもよい。なお、新候補ビームは、単に候補ビームと呼ばれてもよい。
【００３１】
ＵＥは、所定の条件を満たすＲＳに対応するビームを、新候補ビームとして決定してもよい。ＵＥは、例えば、設定されたＮＣＢＩ−ＲＳのうち、Ｌ１−ＲＳＲＰが閾値を超えるＲＳに基づいて、新候補ビームを決定してもよい。なお、判断の基準（クライテリア）は、Ｌ１−ＲＳＲＰに限られない。ＳＳＢに関するＬ１−ＲＳＲＰは、ＳＳ−ＲＳＲＰと呼ばれてもよい。ＣＳＩ−ＲＳに関するＬ１−ＲＳＲＰは、ＣＳＩ−ＲＳＲＰと呼ばれてもよい。
【００３２】
ＮＣＢＩ−ＲＳに関する情報（例えば、ＲＳのリソース、数、ポート数、プリコーディングなど）、新候補ビーム識別（ＮＣＢＩ）に関する情報（例えば、上述の閾値）などは、上位レイヤシグナリングなどを用いてＵＥに設定（通知）されてもよい。ＮＣＢＩ−ＲＳに関する情報は、ＢＦＤ−ＲＳに関する情報に基づいて取得されてもよい。ＮＣＢＩ−ＲＳに関する情報は、ＮＢＣＩ用リソースに関する情報などと呼ばれてもよい。
【００３３】
なお、ＢＦＤ−ＲＳ、ＮＣＢＩ−ＲＳなどは、無線リンクモニタリング参照信号（ＲＬＭ−ＲＳ：Radio  Link  Monitoring  RS）で読み替えられてもよい。
【００３４】
ステップＳ１０４において、新候補ビームを特定したＵＥは、ビーム回復要求（ＢＦＲＱ：Beam  Failure  Recovery  reQuest）を送信する。ビーム回復要求は、ビーム回復要求信号、ビーム障害回復要求信号などと呼ばれてもよい。
【００３５】
ＢＦＲＱは、例えば、上り制御チャネル（ＰＵＣＣＨ：Physical  Uplink  Control  Channel）、ランダムアクセスチャネル（ＰＲＡＣＨ：Physical  Random  Access  Channel）、上り共有チャネル（ＰＵＳＣＨ：Physical  Uplink  Shared  Channel）、コンフィギュアドグラント（configured  grant）ＰＵＳＣＨの少なくとも１つを用いて送信されてもよい。
【００３６】
ＢＦＲＱは、ステップＳ１０３において特定された新候補ビームの情報を含んでもよい。ＢＦＲＱのためのリソースが、当該新候補ビームに関連付けられてもよい。ビームの情報は、ビームインデックス（ＢＩ：Beam  Index）、所定の参照信号のポートインデックス、リソースインデックス（例えば、ＣＳＩ−ＲＳリソース指標（ＣＲＩ：CSI-RS  Resource  Indicator）、ＳＳＢリソース指標（ＳＳＢＲＩ））などを用いて通知されてもよい。
【００３７】
Ｒｅｌ−１５  ＮＲでは、衝突型ランダムアクセス（ＲＡ：Random  Access）手順に基づくＢＦＲであるＣＢ−ＢＦＲ（Contention-Based  BFR）及び非衝突型ランダムアクセス手順に基づくＢＦＲであるＣＦ−ＢＦＲ（Contention-Free  BFR）が検討されている。ＣＢ−ＢＦＲ及びＣＦ−ＢＦＲでは、ＵＥは、ＰＲＡＣＨリソースを用いてプリアンブル（ＲＡプリアンブル、ランダムアクセスチャネル（ＰＲＡＣＨ：Physical  Random  Access  Channel）、ＲＡＣＨプリアンブルなどともいう）をＢＦＲＱとして送信してもよい。
【００３８】
ＣＢ−ＢＦＲでは、ＵＥは、１つ又は複数のプリアンブルからランダムに選択したプリアンブルを送信してもよい。一方、ＣＦ−ＢＦＲでは、ＵＥは、基地局からＵＥ固有に割り当てられたプリアンブルを送信してもよい。ＣＢ−ＢＦＲでは、基地局は、複数ＵＥに対して同一のプリアンブルを割り当ててもよい。ＣＦ−ＢＦＲでは、基地局は、ＵＥ個別にプリアンブルを割り当ててもよい。
【００３９】
なお、ＣＢ−ＢＦＲ及びＣＦ−ＢＦＲは、それぞれＣＢ  ＰＲＡＣＨベースＢＦＲ（ＣＢＲＡ−ＢＦＲ：contention-based  PRACH-based  BFR）及びＣＦ  ＰＲＡＣＨベースＢＦＲ（ＣＦＲＡ−ＢＦＲ：contention-free  PRACH-based  BFR）と呼ばれてもよい。ＣＢＲＡ−ＢＦＲは、ＢＦＲ用ＣＢＲＡと呼ばれてもよい。ＣＦＲＡ−ＢＦＲは、ＢＦＲ用ＣＦＲＡと呼ばれてもよい。
【００４０】
ＣＢ−ＢＦＲ、ＣＦ−ＢＦＲのいずれであっても、ＰＲＡＣＨリソース（ＲＡプリアンブル）に関する情報は、例えば、上位レイヤシグナリング（ＲＲＣシグナリングなど）によって通知されてもよい。例えば、当該情報は、検出したＤＬ−ＲＳ（ビーム）とＰＲＡＣＨリソースとの対応関係を示す情報を含んでもよく、ＤＬ−ＲＳごとに異なるＰＲＡＣＨリソースが関連付けられてもよい。
【００４１】
ステップＳ１０５において、ＢＦＲＱを検出した基地局は、ＵＥからのＢＦＲＱに対する応答信号（ｇＮＢレスポンスなどと呼ばれてもよい）を送信する。当該応答信号には、１つ又は複数のビームについての再構成情報（例えば、ＤＬ−ＲＳリソースの構成情報）が含まれてもよい。
【００４２】
当該応答信号は、例えばＰＤＣＣＨのＵＥ共通サーチスペースにおいて送信されてもよい。当該応答信号は、ＵＥの識別子（例えば、セル−無線ＲＮＴＩ（Ｃ−ＲＮＴＩ：Cell-Radio  RNTI））によって巡回冗長検査（ＣＲＣ：Cyclic  Redundancy  Check）スクランブルされたＰＤＣＣＨ（ＤＣＩ）を用いて通知されてもよい。ＵＥは、ビーム再構成情報に基づいて、使用する送信ビーム及び受信ビームの少なくとも一方を判断してもよい。
【００４３】
ＵＥは、当該応答信号を、ＢＦＲ用の制御リソースセット（ＣＯＲＥＳＥＴ：COntrol  REsource  SET）及びＢＦＲ用のサーチスペースセットの少なくとも一方に基づいてモニタしてもよい。
【００４４】
ＣＢ−ＢＦＲに関しては、ＵＥが自身に関するＣ−ＲＮＴＩに対応するＰＤＣＣＨを受信した場合に、衝突解決（contention  resolution）が成功したと判断されてもよい。
【００４５】
ステップＳ１０５の処理に関して、ＢＦＲＱに対する基地局（例えば、ｇＮＢ）からの応答（レスポンス）をＵＥがモニタするための期間が設定されてもよい。当該期間は、例えばｇＮＢ応答ウィンドウ、ｇＮＢウィンドウ、ビーム回復要求応答ウィンドウなどと呼ばれてもよい。ＵＥは、当該ウィンドウ期間内において検出されるｇＮＢ応答がない場合、ＢＦＲＱの再送を行ってもよい。
【００４６】
ステップＳ１０６において、ＵＥは、基地局に対してビーム再構成が完了した旨を示すメッセージを送信してもよい。当該メッセージは、例えば、ＰＵＣＣＨによって送信されてもよいし、ＰＵＳＣＨによって送信されてもよい。
【００４７】
ビーム回復成功（BR  success）は、例えばステップＳ１０６まで到達した場合を表してもよい。一方で、ビーム回復失敗（BR  failure）は、例えばＢＦＲＱ送信が所定の回数に達した、又はビーム障害回復タイマ（Beam-failure-recovery-Timer）が満了したことに該当してもよい。
【００４８】
なお、これらのステップの番号は説明のための番号に過ぎず、複数のステップがまとめられてもよいし、順番が入れ替わってもよい。また、ＢＦＲを実施するか否かは、上位レイヤシグナリングを用いてＵＥに設定されてもよい。
【００４９】
ところで、上述したように、Ｒｅｌ−１５  ＮＲにおいては、ビーム回復は全てのＢＦＤ−ＲＳの品質が所定の閾値未満になった（全てのビームに障害が出た）場合にトリガされる。全てのビームに障害がある場合には、ＵＥが利用できるＵＬビーム（ＵＬリンク）もないと想定されるため、これまで検討されているＢＦＲではＰＲＡＣＨを用いてＢＦＲＱが送信される。
【００５０】
しかしながら、ＰＲＡＣＨベースのＢＦＲのためには、予めＰＲＡＣＨリソースを確保する必要がある。したがって、ビームの数が多い場合、リソースが無駄に浪費される（データ送受信などに利用できないリソースが増える）という課題がある。また、ＰＲＡＣＨベースのＢＦＲは、ランダムアクセス手順に従うため、ビーム回復までに遅延が生じるという課題もある。この結果、通信スループットが低下するおそれがある。
【００５１】
そこで、本発明者らは、リソースの浪費を抑制し、高速にＢＦＲを実施するための方法を着想した。
【００５２】
以下、本開示に係る実施形態について、図面を参照して詳細に説明する。各実施形態に係る無線通信方法は、それぞれ単独で適用されてもよいし、組み合わせて適用されてもよい。
【００５３】
（無線通信方法）
一実施形態において、ＵＥは、ＢＦＤ−ＲＳのうち、一部のＢＦＤ−ＲＳの品質が劣化した場合に、下位レイヤ（ＰＨＹレイヤ）から上位レイヤ（ＭＡＣレイヤ）にビーム障害を指示（indicate）してもよい。
【００５４】
全てのＢＦＤ−ＲＳでなく一部のＢＦＤ−ＲＳによって検出されるビーム障害は、部分的ビーム障害（ＰＢＦ：Partial  Beam  Failure）と呼ばれてもよい。また、ＰＢＦに基づいて実施されるビーム障害回復は、ＰＢＦＲ（Partial  Beam  Failure  Recovery）と呼ばれてもよい。
【００５５】
ＰＢＦに基づいてトリガされるＢＦＲＱは、利用可能な（avaiable）又は生きている（alive）（切断されていない）ＵＬビーム／ＵＬリンクを介して、ＰＵＣＣＨ又はＰＵＳＣＨを用いて送信されてもよい。
【００５６】
ＵＥは、送信構成指示（ＴＣＩ：Transmission  Configuration  Indication又はTransmission  Configuration  Indicator）の状態（ＴＣＩ状態（TCI-state））の再設定及びＴＣＩ状態のアクティベーションの少なくとも一方を受信するまでは、以前の（previous）ＴＣＩ状態の設定に従ってＰＤＣＣＨモニタリングを行ってもよい。
【００５７】
ここで、ＴＣＩ状態について簡単に説明する。ＴＣＩ状態は、ＱＣＬの情報を示してもよい（含んでもよい）。ＴＣＩ状態（及び／又はＱＣＬ情報）は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよく、例えば、ＱＣＬ関係となるＤＬ−ＲＳに関する情報（ＤＬ−ＲＳ関連情報）及びＱＣＬタイプを示す情報（ＱＣＬタイプ情報）の少なくとも１つを含んでもよい。
【００５８】
ＤＬ−ＲＳ関連情報は、ＱＣＬ関係となるＤＬ−ＲＳを示す情報及び当該ＤＬ−ＲＳのリソースを示す情報の少なくとも一つを含んでもよい。例えば、ＵＥに複数の参照信号セット（ＲＳセット）が設定される場合、当該ＤＬ−ＲＳ関連情報は、当該ＲＳセットに含まれるＲＳのうち、チャネル（又は当該チャネル用のポート）とＱＣＬ関係を有するＤＬ−ＲＳ、当該ＤＬ−ＲＳ用のリソースなどの少なくとも１つを示してもよい。
【００５９】
ＰＤＣＣＨ（又はＰＤＣＣＨに関連するＤＭＲＳアンテナポート）及び所定のＤＬ−ＲＳとのＱＣＬに関する情報は、ＰＤＣＣＨのためのＴＣＩ状態などと呼ばれてもよい。ＵＥは、ＰＤＣＣＨ（ＣＯＲＥＳＥＴ）のためのＴＣＩ状態を、ＲＲＣシグナリング及びＭＡＣ  ＣＥに基づいて判断してもよい。
【００６０】
例えば、ＵＥに対して、ＣＯＲＥＳＥＴごとに、１つ又は複数（Ｋ個）のＴＣＩ状態が上位レイヤシグナリングによって設定されてもよい。また、ＵＥは、各ＣＯＲＥＳＥＴについて、設定されたＴＣＩ状態のうち１つ又は複数のＴＣＩ状態を、ＭＡＣ  ＣＥを用いてアクティベートしてもよい。ＵＥは、アクティベートされたＴＣＩ状態に基づいて、ＣＯＲＥＳＥＴのモニタ（受信処理）を行ってもよい。
【００６１】
以下、ＰＢＦ検出、ＢＦＲＱ送信、ＴＣＩ状態の再設定／アクティベーションなどについて、詳しく説明する。
【００６２】
＜ＰＢＦの検出＞
ＵＥは、所定の条件が満たされると、ＰＨＹレイヤからＭＡＣレイヤに対してＰＢＦの通知を送信してもよい（ＰＢＦインスタンスを指示（indicate）してもよい）。
【００６３】
ＵＥは、例えば、設定されたＢＦＤ−ＲＳのうち、一定の割合又は一定の数のＢＦＤ−ＲＳのリソース設定の無線リンク品質（例えば、ＢＬＥＲ、ＲＳＲＰ（Reference  Signal  Received  Power）、ＲＳＲＱ（Reference  Signal  Received  Quality）、ＳＩＮＲ（Signal  to  Interference  plus  Noise  Ratio）などの少なくとも１つ）が閾値ＱＯＵＴ，ＬＲより悪い場合、ＰＢＦの発生を検出し、ＭＡＣレイヤにＰＢＦインスタンスを指示してもよい。
【００６４】
なお、無線リンク品質を示す名称は、「Ｌ１−」という語が付されて表現されてもよい。例えば、ＲＳＲＰ、ＲＳＲＱ、ＳＩＮＲは、それぞれＬ１−ＲＳＲＰ、Ｌ１−ＲＳＲＱ、Ｌ１−ＳＩＮＲなどと呼ばれてもよい。
【００６５】
ＵＥのＭＡＣレイヤは、ＵＥのＰＨＹレイヤからＰＢＦインスタンス通知を受信した場合に、所定のタイマ（ビーム障害検出タイマでもよいし、ＰＢＦ検出タイマでもよい）を開始してもよい。ＵＥのＭＡＣレイヤは、当該タイマが満了するまでにＰＢＦインスタンス通知を一定回数以上受信したら、ＰＢＦＲをトリガ（例えば、後述のＰＢＦＲＱの送信をトリガ）してもよい。当該一定回数は、上位レイヤシグナリングによってＵＥに設定されてもよいし、仕様によって定められてもよい。なお、当該一定回数は、図１で説明したbeamFailureInstanceMaxCountとは異なるＰＢＦ検出用の値として設定されてもよい。
【００６６】
ＰＢＦ用のＢＦＤ−ＲＳに関する情報、上記閾値ＱＯＵＴ，ＬＲに関する情報などは、上位レイヤシグナリングなどを用いてＵＥに設定（通知）されてもよいし、仕様によって定められてもよい。例えば、ＵＥは、上記一定の割合又は一定の数に関する情報を、ＲＲＣのＢＦＤ−ＲＳに関する情報（例えば、beam-Failure-Detection-RS-ResourceConfig情報要素、failureDetectionResourcesToAddModListフィールドなど）によって設定されてもよい。
【００６７】
なお、ＵＥは、上記一定の割合又は一定の数に関する情報が設定されない場合には、当該一定の割合又は一定の数が所定の値（例えば、２５％、５０％、１個、２個など）であると想定してもよい。
【００６８】
ＰＢＦ検出は、全てのセルに適用されなくてもよい。例えば、ＵＥは、特定のセル（又は特定のＳＣｅｌｌ）にＰＢＦ検出を適用するか否かを上位レイヤシグナリング、物理レイヤシグナリング又はこれらの組み合わせを用いて設定されてもよい。ＰＢＦ検出を適用するか否かは、全てのセル（又は全てのＳＣｅｌｌ）単位でまとめて設定されてもよいし、各セル個別に設定されてもよい。
【００６９】
また、ＵＥは、通常のセカンダリセル（ＳＣｅｌｌ：Secondary  Cell）についてはＰＢＦ検出を適用し、それ以外のセル（例えば、プライマリセル（ＰＣｅｌｌ：Primary  Cell）、プライマリセカンダリセル（ＰＳＣｅｌｌ：Primary  Secondary  Cell）など）についてはＰＢＦ検出を適用しないと想定してもよい。
【００７０】
本例では、ＵＥはＢＦＤ−ＲＳに関する情報によって４つのＢＦＤ−ＲＳ（ＢＦＤ−ＲＳ＃１−＃４）を設定され、さらにＰＢＦのためのＲＳ数が２であると設定されている場合を説明する。なお、各ＢＦＤ−ＲＳはそれぞれ異なるビームを用いて送信されていると想定するが、これに限られない。
【００７１】
ＵＥは、４つのＲＳのうち２つ以上のＲＳのリンク品質が所定の閾値より悪くなった場合に、ＰＨＹレイヤからＭＡＣレイヤにＰＢＦインスタンスを指示してもよい。図２の例では、ＲＳ＃１及び＃２の無線リンク品質が劣化したことによって、ＵＥがＰＢＦを検出している。
【００７２】
＜ＰＢＦＲＱ＞
ＵＥは、ＰＢＦを検出した場合に、ＰＵＣＣＨ又はＰＵＳＣＨを用いてＢＦＲＱを送信してもよい。ここで、当該ＢＦＲＱの送信は、利用可能な又は生きている（切断されていない）ＵＬビーム、ＵＬリンク、ＴＣＩ、空間関係（spatial  relation）などの少なくとも１つに基づいて行われてもよい。
【００７３】
ＰＢＦに応じて送信されるＢＦＲＱは、ＰＢＦＲＱ（Partial  Beam  Failure  Recovery  reQuest）と呼ばれてもよい。
【００７４】
ＰＢＦＲＱの送信可否は、上位レイヤシグナリングなどを用いてＵＥに設定されてもよい。ＵＥは、特定のセル（又は特定のＳＣｅｌｌ）においてＰＢＦＲＱの送信を適用するか否かを上位レイヤシグナリング、物理レイヤシグナリング又はこれらの組み合わせを用いて設定されてもよい。ＰＢＦのためのＢＦＲＱの送信を適用するか否かは、全てのセル（又は全てのＳＣｅｌｌ）単位でまとめて設定されてもよいし、各セル個別に設定されてもよい。
【００７５】
ＰＢＦＲＱの送信に用いることができる（適用できる）ＵＬビーム、ＵＬリンク、ＴＣＩ、空間関係の少なくとも１つは、上位レイヤシグナリングなどを用いてＵＥに設定されてもよい。
【００７６】
また、ＵＥにキャリアアグリゲーション（ＣＡ：Carrier  Aggregation）又はデュアルコネクティビティ（ＤＣ：Dual  Connectivity）が設定される場合において、あるセルのためのＰＢＦＲＱの送信は、既存のＣＡ又はＤＣのＰＵＣＣＨ／ＰＵＳＣＨの送信ルールに従ってもよい。例えば、ＣＡ又はＤＣが設定されるＵＥは、あるセルのためのＰＢＦＲＱをどのセルを用いて送信するか、どの空間関係を用いて送信するか、などを、既存のＣＡ又はＤＣのＰＵＣＣＨ／ＰＵＳＣＨの送信ルールに従って決定してもよい。
【００７７】
なお、ＵＥにＣＡ又はＤＣが設定される場合において、あるセルのためのＰＢＦＲＱの送信をどのセルで行うか（例えば、ＰＣｅｌｌで行う、又は対応する特定のＳＣｅｌｌで行う）が上位レイヤシグナリングなどによって設定されてもよい。
【００７８】
ＰＢＦＲＱは、ＰＵＳＣＨを用いてＭＡＣシグナリング（例えば、ＭＡＣ  ＣＥ）として送信されてもよいし、ＰＵＣＣＨ（又はＰＵＳＣＨ）を用いて物理レイヤシグナリング（例えば、ＵＣＩ）として送信されてもよい。
【００７９】
ＰＢＦＲＱは、リソースが動的にスケジューリングされるＵＬグラントベースのＰＵＳＣＨを用いて送信されてもよいし、リソースがセミパーシステントに設定されるコンフィギュアドグラント（ＵＬグラントフリーと呼ばれてもよい）ベースのＰＵＳＣＨを用いて送信されてもよい。
【００８０】
ＰＢＦＲＱは、ビーム回復要求に関する情報（例えば、以下の（１）−（５）の少なくとも１つ）を含んでもよい：
（１）ビーム回復の要求を示す情報、
（２）セルＩＤ、
（３）ＢＷＰ  ＩＤ、
（４）新候補ビームの測定結果（Ｌ１−ＲＳＲＰなど）、
（５）新候補ビームに関するインデックス（ビームインデックス、ＣＳＩ−ＲＳのＩＤ、ＳＳＢインデックス、ＴＣＩ状態ＩＤなど）。
【００８１】
上記（２）のセルＩＤ及び（３）のＢＷＰ  ＩＤは、新候補ビームが検出された（又はビーム／リンク／ＴＣＩ状態を確立したい）セル及びＢＷＰにそれぞれ対応してもよい。この情報を通知することで、新候補ビームが複数のセル又は複数のＢＷＰにおいて検出される場合であっても、適切に好適な新候補ビームの情報を基地局に通知することができる。
【００８２】
図３Ａ及び３Ｂは、ＰＢＦ検出後のＰＢＦＲＱの送信の一例を示す図である。本例においては、図２で示したＰＢＦ検出後の処理が主に示されている。ＵＥは、図３Ａに示すように、ＰＢＦ検出後に、生きているＵＬビーム／リンク／ＴＣＩ／空間関係などの少なくとも１つに基づいて、ＰＵＣＣＨ又はＰＵＳＣＨを用いたＰＢＦＲＱ送信を行ってもよい。
【００８３】
また、ＵＥは、図３Ｂに示すように、ＰＢＦ検出後に、図１のステップＳ１０３で述べたような新候補ビームのサーチを行い、好適な新候補ビームを特定してもよい。そして、ＵＥは、生きているＵＬビーム／リンク／ＴＣＩ／空間関係などの少なくとも１つに基づいて、ＰＵＣＣＨ又はＰＵＳＣＨを用いたＰＢＦＲＱ送信を行ってもよい。当該ＰＢＦＲＱには、特定した好適な新候補ビームの情報及び対応するＴＣＩ状態（ＴＣＩ状態ＩＤでもよい）の少なくとも一方が含まれてもよい。
【００８４】
［ＰＢＦＲＱを示すＭＡＣ  ＣＥ］
ＰＢＦＲＱを示すＭＡＣ  ＣＥは、例えばＰＢＦＲＱ  ＭＡＣ  ＣＥなどと呼ばれてもよい。ＵＥは、ＰＢＦＲＱ  ＭＡＣ  ＣＥを含むＭＡＣ  ＰＤＵ（Protocol  Data  Unit）を、ＰＵＳＣＨを用いて送信してもよい。
【００８５】
当該ＭＡＣ  ＰＤＵのＭＡＣヘッダ（より詳細にはＭＡＣサブヘッダ）は、ＰＢＦＲＱ  ＭＡＣ  ＣＥに対応した値（インデックス）を示すＬＣＩＤ（Logical  Channel  Identifier）を含んでもよい。当該ＬＣＩＤは、例えば「１００００１」から「１０１１１０」の間の値によって定義されてもよい。当該ＬＣＩＤは、上記（１）のビーム回復の要求を示す情報に該当する。
【００８６】
ＰＢＦＲＱ  ＭＡＣ  ＣＥのサイズは、０ビットであってもよいし、１以上のオクテット（１オクテットは８ビット）であってもよい。
【００８７】
図４Ａ及び４Ｂは、ＰＢＦＲＱ  ＭＡＣ  ＣＥの構成の一例を示す図である。図４Ａは、サイズが８ビットであるＰＢＦＲＱ  ＭＡＣ  ＣＥ（ＰＢＦＲＱ  ＭＡＣ  ＣＥタイプ１などと呼ばれてもよい）の一例を示し、図４Ｂは、サイズが１６ビットであるＰＢＦＲＱ  ＭＡＣ  ＣＥ（ＰＢＦＲＱ  ＭＡＣ  ＣＥタイプ２などと呼ばれてもよい）の一例を示す。
【００８８】
図４Ａ及び４Ｂの各フィールドのサイズ及び配置は一例であって、これに限られない。
【００８９】
「Ｒ」は予約ビット（reserved  bit）のフィールドを示しており、特に情報の通知に利用されなくてもよいし、自由に利用されてもよい。仕様上、所定の値（例えば０）に固定されていてもよい。
【００９０】
「Ｓｅｒｖｉｎｇ  ｃｅｌｌ  ＩＤ」は、サービングセルのセルＩＤのフィールドを示す。なお、「Ｓｅｒｖｉｎｇ  ｃｅｌｌ  ＩＤ」は、サービングセルでないセルＩＤのフィールド（単に「Ｃｅｌｌ  ＩＤ」と表されてもよい）を示してもよい。
【００９１】
「ＢＷＰ  ＩＤ」は、ＢＷＰのＩＤのフィールドを示す。「Ｃａｎｄｉｄａｔｅ  ｂｅａｍ  ｉｎｄｅｘ／ＴＣＩ  ｓｔａｔｅ  ＩＤ」は、新候補ビームに関するインデックスのためのフィールドである。ＵＥは、新候補ビームに関するインデックスを通知する場合には図４ＢのＭＡＣ  ＣＥを送信し、そうでない場合には図４ＡのＭＡＣ  ＣＥ又は０ビットのＭＡＣ  ＣＥを送信してもよい。
【００９２】
［ＰＢＦＲＱを示すＵＣＩ］
上記（１）−（５）のようなビーム回復要求に関する情報は、明示的な情報（ビット列）としてＵＣＩに含まれてもよいし、暗示的に通知されてもよい。
【００９３】
例えば、ＰＢＦＲＱを示すＵＣＩは、上記（１）のビーム回復の要求を示す情報としてビーム回復がトリガされるか否かを示すフィールドを含んでもよい。当該フィールドは、１ビットで表されてもよく、例えば‘１’がトリガされることを意味し、‘０’がトリガされないことを意味してもよい。
【００９４】
ＰＢＦＲＱを示すＵＣＩが、ビーム回復がトリガされることを示す情報（例えば、上記フィールドが‘１’）を含む場合、新候補ビームの測定結果及び新候補ビームに関するインデックスの少なくとも一方が当該ＵＣＩに含まれてもよい。
【００９５】
ここで、Ｒｅｌ−１５  ＮＲにおいて既に定義される、全てのＢＦＤ−ＲＳによって検出されるビーム障害は、フルビーム障害（ＦＢＦ：Full  Beam  Failure）と呼ばれてもよい。ＦＢＦの検出によってトリガされるＢＦＲＱは、ＦＢＦＲＱ（Full  BFRQ）と呼ばれてもよい。
【００９６】
ＵＥは、ＵＣＩを用いて、ＰＢＦＲＱ及びＦＢＦＲＱの少なくとも一方を報告してもよい。なお、例えばＵＥが複数の送受信ポイント（ＴＲＰ：Transmission/Reception  Point）に接続しており、一方のＴＲＰにおいてＦＢＦを検出した場合には、他方のＴＲＰのセルのＰＵＣＣＨ／ＰＵＳＣＨを用いて当該ＦＢＦに関するＦＢＦＲＱを送信できる。
【００９７】
ＰＢＦＲＱを報告する場合のＵＣＩのビット数は、ＦＢＦＲＱを報告する場合のＵＣＩのビット数と異なってもよい。例えば、ＰＢＦＲＱを報告する場合のＵＣＩのビット数は、ＦＢＦＲＱを報告する場合のＵＣＩのビット数よりＸビット（例えば、Ｘ＝１）多くてもよい。当該Ｘビットによって、ＰＢＦＲＱ及びＦＢＦＲＱのいずれが送信されたかが特定されてもよい。
【００９８】
上述のビーム回復要求に関する情報は、ＵＣＩを送信するリソース、系列（例えば、ＵＣＩ自体の系列であってもよいし、ＵＣＩを送信するチャネルに対応するＤＭＲＳの系列であってもよい）などの少なくとも１つによって暗示的に通知されてもよい。
【００９９】
例えば、ＵＥは、ＰＢＦＲＱ及びＦＢＦＲＱの少なくとも一方のための１又は複数のリソースを、上位レイヤシグナリングによって設定されてもよい。当該リソースは、ＰＵＣＣＨリソースであってもよいし、ＰＵＳＣＨリソース（例えば、コンフィギュアドグラントベースのＰＵＳＣＨリソース）であってもよい。
【０１００】
また、当該リソース（リソースの位置、リソースのインデックスでもよい）と新候補ビームに関するインデックスとの対応関係が、上位レイヤシグナリングによってＵＥに設定されてもよいし、仕様によって定められてもよい。
【０１０１】
ＵＥに設定されたＰＵＣＣＨリソースの最小のインデックス（又はＩＤ）が、新候補ビームの最小のインデックスに対応し、その他のインデックスは昇順に対応してもよい。例えば、ＵＥにＰＵＣＣＨリソース＃０−＃ｎが設定される場合、ＵＥがＰＵＣＣＨリソース＃０でＢＦＲＱを送信することは、新候補ビーム＃０の通知を示し、ＵＥがＰＵＣＣＨリソース＃１でＢＦＲＱを送信することは、新候補ビーム＃１の通知を示してもよい。
【０１０２】
ＵＥに設定されたＰＵＣＣＨリソースに関する最小のＰＲＢインデックス（又はシンボルインデックス又はスロットインデックス）が、新候補ビームの最小のインデックスに対応し、その他のインデックスは昇順に対応してもよい。
【０１０３】
＜ＰＤＣＣＨのＴＣＩ状態の再設定／アクティベーション＞
基地局は、ＵＥからＢＦＲＱ（ＰＢＦＲＱ）を受信すると、当該ＵＥに対して、上位レイヤシグナリング（例えば、ＲＲＣシグナリング及びＭＡＣ  ＣＥのいずれか又はこれらの組み合わせ）を用いて、ＰＤＣＣＨのＴＣＩ再設定及びアクティベーションの少なくとも一方を行ってもよい。なお、ＰＤＣＣＨのＴＣＩ再設定及びアクティベーションを示す情報は、ＢＦＲＱ（ＰＢＦＲＱ）に対する応答信号（ｇＮＢレスポンス）に含まれてもよい。
【０１０４】
基地局は、ＵＥからＢＦＲＱ（ＰＢＦＲＱ）を受信すると、当該ＵＥに対してＰＤＣＣＨのＴＣＩ再設定及びアクティベーションを行う前に、当該ＵＥの無線リンク品質（例えば、ＢＬＥＲ、ＲＳＲＰ、ＲＳＲＱ、ＳＩＮＲなどの少なくとも１つ）の報告をトリガしてもよい（報告のトリガを指示する信号をＵＥに送信してもよい）。
【０１０５】
なお、ＵＥは、ＴＣＩ状態の再設定及びＴＣＩ状態のアクティベーションの少なくとも一方を受信するまでは、以前のＴＣＩ状態の設定に従ってＰＤＣＣＨモニタリングを行ってもよい。
【０１０６】
ＵＥは、ＰＢＦの検出（又はＰＢＦＲＱの送信）を設定される場合には、ＢＦＲ用のＣＯＲＥＳＥＴ及びＢＦＲ用のサーチスペースセットの一方又は両方を設定されなくてもよい。この場合、ＵＥは、ＰＢＦＲＱに対する基地局の応答信号を、生きているビーム又はＴＣＩ設定に基づいて、ＰＤＣＣＨ／ＰＤＳＣＨを介して受信してもよい。
【０１０７】
図５Ａ及び５Ｂは、ＰＢＦＲＱ送信後のＴＣＩ再設定／アクティベーションの一例を示す図である。本例においては、図３で示したＰＢＦＲＱ送信後の処理が主に示されている。ＵＥは、図５Ａに示すように、ＰＢＦＲＱ送信後に、ＰＢＦ検出前の（ＰＢＦ検出前から生きている）ビーム／リンク／ＴＣＩ／空間関係などの少なくとも１つに基づいて、ＰＤＣＣＨをモニタし、ＰＤＣＣＨに関するＴＣＩ状態の再設定の情報及びＴＣＩ状態のアクティベーション信号の少なくとも１つを受信してもよい。
【０１０８】
また、ＵＥは、図５Ｂに示すように、ＰＢＦＲＱ送信後に、基地局から無線リンク品質（ここではＬ１−ＲＳＲＰ）報告のトリガを受信し、当該トリガに応じて無線リンク品質を測定及び報告してもよい。基地局は、当該報告に基づいて、ＵＥのＰＤＣＣＨに関するＴＣＩ状態の設定を更新してもよい。ＵＥは、上記無線リンク品質の報告後、ＰＢＦ検出前の（ＰＢＦ検出前から生きている）ビーム／リンク／ＴＣＩ／空間関係などの少なくとも１つに基づいて、ＰＤＣＣＨをモニタし、ＰＤＣＣＨに関するＴＣＩ状態の再設定の情報及びＴＣＩ状態のアクティベーション信号の少なくとも１つを受信してもよい。
【０１０９】
以上説明した実施形態における、ＰＢＦを契機とする生きているＰＵＣＣＨ／ＰＵＳＣＨベースのビーム回復によれば、ＦＢＦを契機とするＰＲＡＣＨベースのビーム回復と比べて、回復までの時間を短くすることができる。
【０１１０】
また、ＵＥは、ビーム回復要求の送信後において、以前の生きているビーム（生きているＴＣＩ状態）に従うことができ、ＵＥのふるまいを首尾一貫したふるまいとすることができる。また、ＢＦＲのために特別なＣＯＲＥＳＥＴ及びサーチスペースセットを設定しなくてもよい。
【０１１１】
＜変形例＞
本開示において、ビームは、リソース、参照信号、参照信号リソース、ＣＳＩ−ＲＳ、ＳＳ／ＰＢＣＨブロック、及びこれらの少なくとも１つに関するインデックスなどで読み替えられてもよい。
【０１１２】
（無線通信システム）
以下、本開示の実施形態に係る無線通信システムの構成について説明する。この無線通信システムでは、上記実施形態に示す無線通信方法の少なくとも一つ又はこれらの組み合わせを用いて通信が行われる。
【０１１３】
図６は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１１４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１６】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１１７】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１１８】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１９】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１２０】
例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１２１】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１２２】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１２３】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１２４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１２５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１２６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１２７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２８】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３０】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３３】
＜基地局＞
図７は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３４】
下りリンクによって基地局１０からユーザ端末２０に送信されるユーザデータは、上位局装置３０から伝送路インターフェース１０６を介してベースバンド信号処理部１０４に入力される。
【０１３５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１３６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１３９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１４０】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦなどを適用できるように構成されてもよい。
【０１４１】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１４２】
送受信部１０３は、上記各実施形態で述べた各種情報を、ユーザ端末２０から受信及び／又はユーザ端末２０に対して送信してもよい。
【０１４３】
図８は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１４４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１４５】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１４６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１４７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１４８】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１４９】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１５０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１５２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１５３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１５４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５５】
測定部３０５は、受信した信号に関する測定を実施する。測定部３０５は、本開示に係る技術分野での共通認識に基づいて説明される測定器、測定回路又は測定装置から構成することができる。
【０１５６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１５７】
制御部３０１は、ユーザ端末２０のための無線リンクモニタリング（ＲＬＭ）及び／又はビーム回復（ＢＲ：Beam  Recovery）を制御してもよい。制御部３０１は、ＢＦＲＱ／ＰＢＦＲＱに応じてユーザ端末２０に応答信号を送信する制御を行ってもよい。
【０１５８】
＜ユーザ端末＞
図９は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１６３】
なお、送受信部２０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦなどを適用できるように構成されてもよい。
【０１６４】
送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０１６５】
図１０は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１６６】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１６７】
制御部４０１は、ユーザ端末２０全体の制御を実施する。制御部４０１は、本開示に係る技術分野での共通認識に基づいて説明されるコントローラ、制御回路又は制御装置から構成することができる。
【０１６８】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１６９】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７０】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０１７１】
また、制御部４０１は、基地局１０から通知された各種情報を受信信号処理部４０４から取得した場合、当該情報に基づいて制御に用いるパラメータを更新してもよい。
【０１７２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１７３】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１７４】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１７５】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１７６】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７７】
測定部４０５は、受信した信号に関する測定を実施する。測定部４０５は、本開示に係る技術分野での共通認識に基づいて説明される測定器、測定回路又は測定装置から構成することができる。
【０１７８】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７９】
送受信部２０３は、ビーム障害検出のための参照信号（ＢＦＤ−ＲＳ：Beam  Failure  Detection  Reference  Signal）を受信してもよい。送受信部２０３は、基地局１０に対して、ＢＦＲＱ、ＰＢＦＲＱなどを送信してもよい。
【０１８０】
制御部４０１は、測定部４０５の測定結果に基づいて、無線リンクモニタリング（ＲＬＭ：Radio  Link  Monitoring）及び／又はビーム障害回復（ＢＦＲ：Beam  Failure  Recovery）を制御してもよい。
【０１８１】
制御部４０１は、ＭＡＣレイヤ処理部及びＰＨＹレイヤ処理部を含んでもよい。なお、ＭＡＣレイヤ処理部及び／又はＰＨＹレイヤ処理部は、制御部４０１、送信信号生成部４０２、マッピング部４０３、受信信号処理部４０４及び測定部４０５のいずれか、又はこれらの組み合わせによって実現されてもよい。
【０１８２】
ＭＡＣレイヤ処理部は、ＭＡＣレイヤの処理を実施し、ＰＨＹレイヤ処理部は、ＰＨＹレイヤの処理を実施する。例えば、ＰＨＹレイヤ処理部から入力される下りリンクのユーザデータや報知情報などは、ＭＡＣレイヤ処理部の処理を経てＲＬＣレイヤ、ＰＤＣＰレイヤなどの処理を行う上位レイヤ処理部に出力されてもよい。
【０１８３】
ＰＨＹレイヤ処理部は、ビーム障害、部分的ビーム障害（ＰＢＦ：Partial  Beam  Failure）などを検出してもよい。ＰＨＹレイヤ処理部は、検出したビーム障害、ＰＢＦなどに関する情報（インスタンス）をＭＡＣレイヤ処理部に通知してもよい。つまり、制御部４０１は、設定されたＢＦＤ−ＲＳのうちの一部のＢＦＤ−ＲＳのリソース設定の無線リンク品質が所定の閾値より悪い場合、下位レイヤ（ＰＨＹレイヤ）から上位レイヤ（ＭＡＣレイヤ）にビーム障害に関するインスタンス（例えば、ＰＢＦインスタンス）を指示してもよい。
【０１８４】
ＭＡＣレイヤ処理部は、ＰＨＹレイヤ処理部におけるビーム回復要求（ＢＦＲＱ）、ＰＢＦＲＱなどの送信をトリガしてもよい。例えば、ＭＡＣレイヤ処理部は、ＰＨＹレイヤ処理部から通知されたビーム障害に関する情報に基づいて、ビーム回復要求の送信をトリガしてもよい。つまり、制御部４０１は、上位レイヤ（ＭＡＣレイヤ）が上記インスタンスを一定回数以上受信した場合に、ＰＵＣＣＨ又はＰＵＳＣＨを用いたＢＦＲＱ／ＰＢＦＲＱの送信をトリガしてもよい。
【０１８５】
なお、制御部４０１は、ＢＦＲＱ又はＰＢＦＲＱの送信を、生きている上りリンク（ＵＬ）、ＵＬのビーム、ＵＬの送信構成指示状態（ＴＣＩ状態）、ＵＬ空間関係の少なくとも１つに基づいて行うように制御してもよい。
【０１８６】
制御部４０１は、ＢＦＲＱ又はＰＢＦＲＱの送信後、ＴＣＩ状態の再設定の情報及びアクティベーション信号の少なくとも一方を送受信部２０３が受信するまでは、以前のＴＣＩ状態の設定に従ってＰＤＣＣＨをモニタする制御を行ってもよい。
【０１８７】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１８８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit/section）、送信機（transmitter）などと呼称されてもよい。いずれも、上述したとおり、実現方法は特に限定されない。
【０１８９】
例えば、本開示の一実施形態における基地局、ユーザ端末などは、本開示の無線通信方法の処理を行うコンピュータとして機能してもよい。図１１は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９０】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１９１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１９２】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１９６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０１９８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２００】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０１】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０２】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２０３】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０４】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２０５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２０６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２０７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２１２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１４】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２１８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２１９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２１】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２２】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２４】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２６】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２３２】
本開示において使用する「システム」及び「ネットワーク」という用語は、互換的に使用され得る。
【０２３３】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２３４】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２３６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２３７】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３８】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２３９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４０】
同様に、本開示におけるユーザ端末は、基地局で読み替えてもよい。この場合、上述のユーザ端末２０が有する機能を基地局１０が有する構成としてもよい。
【０２４１】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４２】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４３】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４４】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４５】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２４６】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２４７】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２４８】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４９】
また、「判断（決定）」は、「想定する（assuming）」、「期待する（expecting）」、「みなす（considering）」などで読み替えられてもよい。
【０２５０】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５４】
本開示において、例えば、英語でのa,  an及びtheのように、翻訳によって冠詞が追加された場合、本開示は、これらの冠詞の後に続く名詞が複数形であることを含んでもよい。
【０２５５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020012594.tif 000003
【図２】
2020012594.tif 000004
【図３】
2020012594.tif 000005
【図４】
2020012594.tif 000006
【図５】
2020012594.tif 000007
【図６】
2020012594.tif 000008
【図７】
2020012594.tif 000009
【図８】
2020012594.tif 000010
【図９】
2020012594.tif 000011
【図１０】
2020012594.tif 000012
【図１１】
2020012594.tif 000013
【国際調査報告】
2020012594.tif 000014
2020012594.tif 000015
2020012594.tif 000016
2020012594.tif 000017